(57)【特許請求の範囲】
【請求項１】
入力される文字列を取得し、前記文字列の選択候補の中から変換したい文節に対応する情報を取得し、前記入力された文字列を重ねて変換するか否かの指示を取得するキー入力部と、
前記キー入力部の取得した前記文字列を変換する選択候補を一覧表示し、前記選択候補から変換が確定された第１文節を表示し、前記入力された文字列を重ねて変換する再入力指示を取得すると、前記選択候補を再度一覧表示し、再度表示された前記選択候補から変換が確定された第２文節を表示する表示部と、
前記キー入力部からの入力によって文字列を変換して前記表示部に前記文字列の選択候補を一覧表示させ、前記キー入力部からの入力によって前記表示部に表示された前記選択候補から選択された第１文節を確定し、前記キー入力部からの再入力指示によって前記表示部に前記文字列の選択候補を再度一覧表示させ、前記キー入力部からの入力によって前記表示部に再度表示された前記選択候補から選択された第２文節を確定する制御部と、
を備える端末装置。
【請求項２】
入力される文字列に対応する選択候補に、確定した第１文節及び確定した第２文節の組み合わせを追加して記憶する記憶部を、さらに備えることを特徴とする請求項１に記載の端末装置。
【請求項３】
前記キー入力部は、携帯電話用テンキーであることを特徴とする請求項１又は２に記載の端末装置。
【請求項４】
前記キー入力部は、前記入力された文字列を重ねて変換するか否かの再入力指示をアサインされたキーを備えることを特徴とする請求項１から３のいずれかに記載の端末装置。
【請求項５】
前記文字列の選択候補には、顔文字を含むことを特徴とする請求項１から４のいずれかに記載の端末装置。
【請求項６】
前記文字列の選択候補には、絵文字を含むことを特徴とする請求項１から５のいずれかに記載の端末装置。
【請求項７】
入力される文字列を取得する文字列取得手順と、
取得した前記文字列を変換する選択候補を一覧表示する選択候補一覧表示手順と、
表示された前記選択候補から選択された第１文節を確定する文節確定手順と、
確定された前記第１文節を表示する文節表示手順と、
前記入力された文字列を重ねて変換するか否かの指示を取得する再変換取得手順と、
前記入力された文字列を重ねて変換する再入力指示を取得すると、前記選択候補を再度一覧表示する選択候補一覧再表示手順と、
再度表示された前記選択候補から選択された第２文節を確定する文節再確定手順と、
確定された前記第２文節を表示する文節再表示手順と、
を順に備える端末装置の文字列変換方法。
【請求項８】
入力される文字列に対応する選択候補に、文節確定手順で確定した第１文節及び文節再確定手順で確定した第２文節の組み合わせを追加する候補追加手順を、前記文節再確定手順の後に備えることを特徴とする請求項７に記載の端末装置の文字列変換方法。
【請求項９】
前記文字列取得手順は、携帯電話用テンキーから入力される文字列を取得することを特徴とする請求項７又は８に記載の端末装置の文字列変換方法。
【請求項１０】
前記再変換取得手順は、再入力指示をアサインされたキーから、前記入力された文字列を重ねて変換するか否かの指示を取得することを特徴とする請求項７から９のいずれかに記載の端末装置の文字列変換方法。
【請求項１１】
前記文字列の選択候補には、顔文字を含むことを特徴とする請求項７から１０のいずれかに記載の端末装置の文字列変換方法。
【請求項１２】
前記文字列の選択候補には、絵文字を含むことを特徴とする請求項７から１１のいずれかに記載の端末装置の文字列変換方法。
【請求項１３】
入力される文字列を取得する文字列取得ステップと、
取得した前記文字列を変換する選択候補を一覧表示する選択候補一覧表示ステップと、
表示された前記選択候補から選択された第１文節を確定する文節確定ステップと、
確定された前記第１文節を表示する文節表示ステップと、
前記入力された文字列を重ねて変換するか否かの指示を取得する再変換取得ステップと、
前記入力された文字列を重ねて変換する再入力指示を取得すると、前記選択候補を再度一覧表示する選択候補一覧再表示ステップと、
再度表示された前記選択候補から選択された第２文節を確定する文節再確定ステップと、
確定された前記第２文節を表示する文節再表示ステップと、
を順に端末装置に実行させる文字列変換プログラム。
【請求項１４】
入力される文字列に対応する選択候補に、文節確定ステップで確定した第１節及び文節再確定ステップで確定した第２文節の組み合わせを追加する候補追加ステップを、前記文節再確定ステップの後に備えることを特徴とする請求項１３に記載の端末装置に実行させる文字列変換プログラム。
【請求項１５】
前記文字列取得ステップは、携帯電話用テンキーから入力される文字列を取得することを特徴とする請求項１３又は１４に記載の端末装置に実行させる文字列変換プログラム。
【請求項１６】
前記再変換取得ステップは、再入力指示をアサインされたキーから、前記入力された文字列を重ねて変換するか否かの指示を取得することを特徴とする請求項１３から１５のいずれかに記載の端末装置に実行させる文字列変換プログラム。
【請求項１７】
前記文字列の選択候補には、顔文字を含むことを特徴とする請求項１３から１６のいずれかに記載の端末装置に実行させる文字列変換プログラム。
【請求項１８】
前記文字列の選択候補には、絵文字を含むことを特徴とする請求項１３から１７のいずれかに記載の端末装置に実行させる文字列変換プログラム。
【発明の詳細な説明】
【技術分野】
【０００１】
本発明は、文字列を変換する端末装置、端末装置の文字列変換方法及び端末装置に実行させる文字列変換プログラムに関する。
【背景技術】
【０００２】
携帯電話を始めとする携帯端末による文章作成の際、最新に入力した文節に変換する学習機能や、文章の前後関係から最適な文節に変換する予測変換機能が向上して、キー入力操作の手間を大幅に削減することができるようになってきている（例えば、特許文献１参照。）。また、仮名漢字変換の際に、漢字の変換候補の検索に合わせて、変換候補の漢字全てと読みとから関連する絵文字も検索して漢字と一緒に表示することも行われている（例えば、特許文献２参照。）。さらに、絵文字と対応するキーワードが入力されると、キーワードに対応付けられた絵文字を表示することも行われている（例えば、特許文献３参照。）。
【０００３】
しかしながら、同じ文節や絵文字を直前の文節に重ねて挿入する際には、繰り返し同じ文字列をキー操作入力する必要があり、大変煩わしかった。この煩わしさを解決するために、再入力可能な文字入力装置（例えば、特許文献４参照。）が提案されている。特許文献４に記載の文字入力装置は、入力した入力文字に続く文字パターンを、対応関係を参照して特定し、特定した文字パターンをキー入力文字に付加して繰り返し文字を生成する文字付加手段を備える。特許文献４に記載の文字入力装置では、繰り返しキーを押下することによって、同じキー入力をすることなく、繰り返し同じ文字を入力することができる。
【先行技術文献】
【特許文献】
【０００４】
【特許文献１】特開２００８−２５０７０８
【特許文献２】特開２０００−１４８７４８
【特許文献３】特開２００８−１２９６８７
【特許文献４】特開２００６−０８５４２０
【発明の概要】
【発明が解決しようとする課題】
【０００５】
しかし、特許文献４に記載の文字入力装置の文字付加手段は、確定した文節と同じ文節の再入力を可能とするものであった。このため、同じ文節しか繰り返して再入力することができない課題があった。
【０００６】
前記課題を解決するために、本発明は、同じ文字列から変換される文節を直前の文節に重ねて挿入する際に、繰り返し同じ文字列をキー操作入力することなく挿入することのできる端末装置、端末装置の文字列変換方法及び端末装置に実行させる文字列変換プログラムを提供することを目的とする。
【課題を解決するための手段】
【０００７】
上記目的を達成するために、本発明に係る端末装置は、入力される文字列を取得し、前記文字列の選択候補の中から変換したい文節に対応する情報を取得し、前記入力された文字列を重ねて変換するか否かの指示を取得するキー入力部と、前記キー入力部の取得した前記文字列を変換する選択候補を一覧表示し、前記選択候補から変換が確定された文節を表示し、前記入力された文字列を重ねて変換する再入力指示を取得すると、前記選択候補を再度一覧表示し、再度表示された前記選択候補から変換が再度確定された文節を表示する表示部と、前記キー入力部からの入力によって文字列を変換して前記表示部に前記文字列の選択候補を一覧表示させ、前記キー入力部からの入力によって前記表示部に表示された前記選択候補から変換する文節を確定し、前記キー入力部からの再入力指示によって前記表示部に前記文字列の選択候補を再度一覧表示させ、前記キー入力部からの入力によって前記表示部に再度表示された前記選択候補から変換する文節を再度確定する制御部と、を備える。
【０００８】
上記目的を達成するために、本発明に係る端末装置の文字列変換方法は、入力される文字列を取得する文字列取得手順と、取得した前記文字列を変換する選択候補を一覧表示する選択候補一覧表示手順と、表示された前記選択候補から変換する文節を確定する文節確定手順と、確定された前記文節を表示する文節表示手順と、前記入力された文字列を重ねて変換するか否かの指示を取得する再変換取得手順と、前記入力された文字列を重ねて変換する再入力指示を取得すると、前記選択候補を再度一覧表示する選択候補一覧再表示手順と、再度表示された前記選択候補から変換する文節を再度確定する文節再確定手順と、再度確定された前記文節を表示する文節再表示手順と、を順に備える。
【０００９】
上記目的を達成するために、本発明に係る文字列変換プログラムは、入力される文字列を取得する文字列取得ステップと、取得した前記文字列を変換する選択候補を一覧表示する選択候補一覧表示ステップと、表示された前記選択候補から変換する文節を確定する文節確定ステップと、確定された前記文節を表示する文節表示ステップと、前記入力された文字列を重ねて変換するか否かの指示を取得する再変換取得ステップと、前記入力された文字列を重ねて変換する再入力指示を取得すると、前記選択候補を再度一覧表示する選択候補一覧再表示ステップと、再度表示された前記選択候補から変換する文節を再度確定する文節再確定ステップと、再度確定された前記文節を表示する文節再表示ステップと、を順に端末装置に実行させる。
【発明の効果】
【００１０】
本発明によれば、同じ文字列から変換される文節を直前の文節に重ねて挿入する際に、繰り返し同じ文字列をキー操作入力することなく挿入することのできる端末装置、端末装置の文字列変換方法及び端末装置に実行させる文字列変換プログラムを提供することができる。
【図面の簡単な説明】
【００１１】
【図１】本実施形態に係る端末装置の一例を示す構成概略図
【図２】本実施形態に係る端末装置の主要部
【図３】（１）は選択候補、（２）は変換の確定した文節
【図４】（１）は選択候補、（２）は変換の確定した文節
【図５】本実施形態に係る端末装置の主要部
【図６】（１）は選択候補、（２）は選択候補
【図７】携帯電話用のテンキー
【図８】本実施形態に係る端末装置の文字列変換方法の一例を示すフローチャート
【図９】本実施形態に係る端末装置の文字列変換方法の一例を示すフローチャート
【図１０】本実施形態に係る端末装置に実行させる文字列変換プログラムの一例を示すフローチャート
【図１１】本実施形態に係る端末装置に実行させる文字列変換プログラムの一例を示すフローチャート
【発明を実施するための形態】
【００１２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１３】
（実施形態１）
本実施形態に係る端末装置の一例を示す構成概略図を図１に示す。本実施形態に係る端末装置１００は、無線電波を送波、受波するアンテナ１１０、無線電波を送信、受信する無線部１１１、端末装置の動作を制御する制御部１１２、記憶部１２０に格納されているプログラムや情報を基に情報処理を行うＣＰＵ１１３、送信する音声や受信する音声を処理する音声処理部１１４、音声通話時の音声を入力する送話部１１５、音声通話時の音声を出力する受話部１１６、着信メロディー等を鳴動させるスピーカ１１７、キー操作やジョグ操作を行うキー入力部１１８、文章や図を表示する表示部１１９、制御情報や各種データベースを記憶する記憶部１２０、文字列に対応した選択候補を備える選択候補データベース１２１を備える。
【００１４】
本実施形態に係る端末装置１００は、通話時には、音声を入力するマイクロフォンを有する送話部１１５で音声を電気信号に変換し、音声処理部１１４、制御部１１２を経由させて、無線部１１１で無線電波に変換し、アンテナ１１０より送波する。アンテナ１１０で受波した無線電波を無線部１１１で電気信号に変換し、制御部１１２、音声処理部１１４を経由させて、音声を出力するスピーカを有する受話部１１６で電気信号を音声に変換する。
【００１５】
本実施形態に係る端末装置の主要部を図２に示す。本実施形態に係る端末装置は、制御部１１２、キー入力部１１８及び表示部１１９を備える。制御部１１２はＣＰＵ１１３を有する。以下では、制御部１１２は、ＣＰＵ１１３の機能を含んで動作説明をする。
【００１６】
メール等の文章を作成する際に、ユーザはキー入力部１１８を操作する。キー入力部１１８はユーザの操作によって文字列を取得し、制御部１１２はその文字列を変換して表示部１１９に選択候補を一覧表示させる。ユーザは、キー入力部１１８を操作して、表示部１１９に表示された選択候補の中から変換したい文節を選択する。キー入力部１１８は選択する文節に対応する情報を取得し、制御部１１２は選択候補から変換を確定し、変換の確定した文節を表示部１１９に表示させる。
【００１７】
例えば、ユーザがキー入力部１１８を操作して、「ありがとう」と入力すると、制御部１１２は「ありがとう」を変換して、図３（１）に示すような選択候補を表示部１１９に一覧表示させる。ユーザが、キー入力部１１８を操作して、表示部１１９に表示された選択候補の中から変換したい「有り難う」という文節を選択する。キー入力部１１８は選択する「有り難う」という文節に対応する情報を取得し、制御部１１２は選択候補から変換を確定し、図３（２）に示すような変換の確定した「有り難う」という文節を表示部１１９に表示させる。
【００１８】
ユーザが文章を作成する任意の時点で、先に変換が確定された文節を重ねて変換したいときに、キー入力部１１８を操作して、入力された文字列を重ねて変換する再入力指示を出す。キー入力部１１８が再入力指示を取得すると、制御部１１２は表示部１１９に先に変換が確定された文節に対応する文字列の選択候補を再度一覧表示させる。ユーザは、キー入力部１１８を操作して、表示部１１９に表示された選択候補の中から重ねて変換したい文節を選択する。キー入力部１１８は選択する文節に対応する情報を取得し、制御部１１２は再度表示された選択候補から変換を再度確定し、変換の再度確定した文節を表示部１１９に表示させる。
【００１９】
例えば、ユーザが、選択候補の中から「有り難う」という文節を選択した後、キー入力部１１８を操作して、入力された文字列を重ねて変換する再入力指示を出す。キー入力部１１８が再入力指示を取得すると、制御部１１２は表示部１１９に先に変換が確定された「有り難う」という文節に対応する図４（１）に示すような選択候補を再度一覧表示させる。ユーザは、キー入力部１１８を操作して、表示部１１９に表示された選択候補の中から重ねて変換したい「ｍ（＿  ＿）ｍ」という文節を選択する。キー入力部１１８は選択する文節に対応する情報を取得し、制御部１１２は再度表示された選択候補から変換を再度確定し、図４（２）に示すような変換の再度確定した「有り難うｍ（＿  ＿）ｍ」という文節を表示部１１９に表示させる。
【００２０】
本実施形態の端末装置によれば、同じ文字列から変換される文節を直前の文節に重ねて挿入する際に、繰り返し同じ文字列をキー操作入力することなく挿入することができる。例えば、文字列「ありがとう」から変換される文節「ｍ（＿  ＿）ｍ」を直前の文節「有り難う」に重ねて挿入する際に、繰り返し同じ文字列をキー操作入力することなく挿入することができる。
【００２１】
さらに、端末装置１００は、入力される文字列に対応する選択候補に、変換の確定した文節及び再度変換の確定した文節の組み合わせを追加して記憶する記憶部を、さらに備えることが望ましい。記憶部１２０を備える端末装置１００の主要部を図５に示す。記憶部１２０は、変換する確定した文節及び変換の再度確定した文節の組み合わせを追加して記憶する選択候補データベース１２１を有する。
【００２２】
例えば、ユーザが、前述したような再入力指示によって、選択候補から変換を再度確定すると、制御部１１２は、図６（１）に示すように、変換の確定した「有り難う」という文節及び再度変換の確定した「ｍ（＿  ＿）ｍ」という文節の組み合わせ「有り難うｍ（＿  ＿）ｍ」を追加して、記憶部１２０の選択候補データベース１２１に記憶させる。同じ動作を繰り返せば、図６（２）に示すように、絵文字等も組み合わせた２以上の文節を組み合わせた文節も選択可能になる。
【００２３】
選択候補の文節には、文章の単語ばかりでなく、他の言語への翻訳、単語の全角、単語の半角、顔文字、絵文字も含まれる。顔文字とは、文字コードで割り当てられている文字や記号の組み合わせで表現される文節をいう。例えば、「＼（＾o＾）／」や「（^○^)」である。絵文字とは、文字コードが割り当てられている絵や記号をいう。例えば、「★」や「♪」である。新たに文字コードを割り当ててもよいし、複数の絵や記号を組み合わせてもよい。以下の実施形態でも同様である。
【００２４】
図７に示すような携帯電話用のテンキーの場合は、文字列の入力に多くのキー操作を必要とするため、前述した実施形態の端末装置の機能を有すれば、キー操作入力の労力を大幅に軽減することができる。
【００２５】
再入力指示に対して、特別のキーをアサインしてもよい。図７のテンキーの例で説明すると、文節の変換が確定した後に、「＃」のキーを押下すると、制御部１１２は再入力指示と判断することでもよい。アサインをするキーはテンキーのものでなくともよい。デスクトップ用のフルキータイプのものでも同様である。
【００２６】
以上のようにして、本実施形態によれば、同じ文字列から変換される文節を直前の文節に重ねて挿入する際に、繰り返し同じ文字列をキー操作入力することなく挿入することのできる端末装置を提供することができる。
【００２７】
本実施形態では、無線送受信機能を有する端末装置の例で説明したが、無線送受信機能や送受話機能のない端末装置でもよい。例えば、図２や図５に示す機能を有する端末装置であればよい。
【００２８】
（実施形態２）
本実施形態に係る端末装置の文字列変換方法の一例を示すフローチャート図を図８に示す。本実施形態に係る端末装置の文字列変換方法は、入力される文字列を取得する文字列取得手順Ｐ２０１と、取得した前記文字列を変換する選択候補を一覧表示する選択候補一覧表示手順Ｐ２０２と、表示された前記選択候補から変換する文節を確定する文節確定手順Ｐ２０３と、確定された前記文節を表示する文節表示手順Ｐ２０４と、前記入力された文字列を重ねて変換するか否かの指示を取得する再変換取得手順Ｐ２０５と、前記入力された文字列を重ねて変換する再入力指示を取得すると、前記選択候補を再度一覧表示する選択候補一覧再表示手順Ｐ２０６と、再度表示された前記選択候補から変換する文節を再度確定する文節再確定手順Ｐ２０７と、再度確定された前記文節を表示する文節再表示手順Ｐ２０８と、を順に備える。
【００２９】
メール等の文章を作成する際に、ユーザはキー入力部を操作する。文字列取得手順Ｐ２０１では、入力される文字列を取得する。選択候補一覧表示手順Ｐ２０２では、取得した文字列を変換する選択候補を一覧表示する。ユーザは、キー入力部を操作して、表示された選択候補の中から変換したい文節を選択する。文節確定手順Ｐ２０３では、表示された選択候補から変換する文節を確定する。確定しない場合は、再度選択候補一覧表示手順Ｐ２０２に戻り、文節が確定するまで繰り返す。文節表示手順Ｐ２０４では、変換の確定した文節を表示する。
【００３０】
例えば、ユーザはキー入力部を操作して、「ありがとう」を入力する。文字列取得手順Ｐ２０１では、入力される文字列「ありがとう」を取得する。選択候補一覧表示手順Ｐ２０２では、図３（１）のように、取得した文字列を変換する選択候補を一覧表示する。ユーザは、キー入力部を操作して、表示された選択候補の中から変換したい文節「有り難う」を選択する。文節確定手順Ｐ２０３では、図３（２）のように、表示された選択候補から変換する文節「有り難う」を確定する。確定しない場合は、再度、選択候補一覧表示手順Ｐ２０２に戻り、文節が確定するまで繰り返す。文節表示手順Ｐ２０４では、変換の確定した文節「有り難う」を表示する。
【００３１】
ユーザが文章を作成する任意の時点で、先に変換が確定された文節を重ねて変換したいときに、キー入力部を操作して、入力された文字列を重ねて変換する再入力指示を出す。再変換取得手順Ｐ２０５では、入力された文字列を重ねて変換するか否かの再入力指示を取得すると、選択候補一覧再表示手順Ｐ２０６に進み、先に表示された選択候補を再度一覧表示する。再変換取得手順Ｐ２０５で、再入力指示を取得しない場合は、文字列取得手順Ｐ２０１に戻り、引き続きユーザのキー入力操作を待つ。ユーザは、キー入力部を操作して、表示された選択候補の中から重ねて変換したい文節を選択する。文節再確定手順Ｐ２０７では、再度表示された選択候補から変換する文節を再度確定する。確定しない場合は、再度、選択候補一覧再表示手順Ｐ２０６に戻り、文節が確定するまで繰り返す。文節再表示手順Ｐ２０８では、変換の再度確定した文節を表示する。
【００３２】
例えば、ユーザが、選択候補の中から「有り難う」という文節を選択した後、キー入力部を操作して、入力された文字列を重ねて変換する再入力指示を出す。再変換取得手順Ｐ２０５では、入力された文字列を重ねて変換するか否かの再入力指示を取得すると、選択候補一覧再表示手順Ｐ２０６に進み、先に変換が確定された「有り難う」という文節に対応する図４（１）に示すような選択候補を再度一覧表示する。ユーザは、キー入力部を操作して、表示された選択候補の中から重ねて変換したい「ｍ（＿  ＿）ｍ」という文節を選択する。文節再確定手順Ｐ２０７では、再度表示された選択候補から変換する文節を再度確定し、文節再表示手順Ｐ２０８で、図４（２）に示すような変換の再度確定した「有り難うｍ（＿  ＿）ｍ」という文節を表示する。
【００３３】
本実施形態の端末装置の文字列変換方法によれば、同じ文字列から変換される文節を直前の文節に重ねて挿入する際に、繰り返し同じ文字列をキー操作入力することなく挿入することができる。例えば、文字列「ありがとう」から変換される文節「ｍ（＿  ＿）ｍ」を直前の文節「有り難う」に重ねて挿入する際に、繰り返し同じ文字列をキー操作入力することなく挿入することができる。
【００３４】
さらに、文字列変換方法は、入力される文字列に対応する選択候補に、文節確定手順Ｐ２０３で変換の確定した文節及び文節再確定手順Ｐ２０７で変換の再度確定した文節の組み合わせを追加する候補追加手順Ｐ２０９を、文節再確定手順Ｐ２０７の後に備えることが望ましい。候補追加手順Ｐ２０９は、文節再確定手順Ｐ２０７の直後でも、図９に示すように文節再表示手順Ｐ２０８の後でもよい。
【００３５】
例えば、ユーザが、前述したような再入力指示によって、選択候補から変換を再度確定すると、候補追加手順Ｐ２０９では、図６（１）に示すように、文節確定手順Ｐ２０３で変換の確定した「有り難う」という文節及び文節再確定手順Ｐ２０７で変換の再度確定した「ｍ（＿  ＿）ｍ」という文節の組み合わせ「有り難うｍ（＿  ＿）ｍ」を追加して記憶する。同じ動作を繰り返せば、図６（２）に示すように、絵文字等も組み合わせた２以上の文節を組み合わせた文節も選択可能になる。
【００３６】
文字列取得手順Ｐ２０１では、図７に示すような携帯電話用のテンキーから入力される文字列を取得してもよい。テンキーでは、文字列の入力に多くのキー操作を必要とするため、前述した端末装置の文字列変換方法を利用すると、キー操作入力の労力を大幅に軽減することができる。
【００３７】
再入力指示に対して、特別のキーをアサインしてもよい。図７のテンキーの例で説明すると、文節の変換が確定した後に、「＃」のキーを押下すると、再変換取得手順Ｐ２０５では再入力指示と判断することでもよい。アサインをするキーはテンキーのものでなくともよい。デスクトップ用のフルキータイプのものでも同様である。
【００３８】
以上のようにして、本実施形態によれば、同じ文字列から変換される文節を直前の文節に重ねて挿入する際に、繰り返し同じ文字列をキー操作入力することなく挿入することのできる端末装置の文字列変換方法を提供することができる。
【００３９】
（実施形態３）
本実施形態に係る端末装置に実行させる文字列変換プログラムの一例を示すフローチャート図を図１０に示す。本実施形態に係る端末装置に実行させる文字列変換プログラムは、入力される文字列を取得する文字列取得ステップＳ２０１と、取得した前記文字列を変換する選択候補を一覧表示する選択候補一覧表示ステップＳ２０２と、表示された前記選択候補から変換する文節を確定する文節確定ステップＳ２０３と、確定された前記文節を表示する文節表示ステップＳ２０４と、前記入力された文字列を重ねて変換するか否かの指示を取得する再変換取得ステップＳ２０５と、前記入力された文字列を重ねて変換する再入力指示を取得すると、前記選択候補を再度一覧表示する選択候補一覧再表示ステップＳ２０６と、再度表示された前記選択候補から変換する文節を再度確定する文節再確定ステップＳ２０７と、再度確定された前記文節を表示する文節再表示ステップＳ２０８と、を順に備える。
【００４０】
メール等の文章を作成する際に、ユーザはキー入力部を操作する。文字列取得ステップＳ２０１では、入力される文字列を取得する。選択候補一覧表示ステップＳ２０２では、取得した文字列を変換する選択候補を一覧表示する。ユーザは、キー入力部を操作して、表示された選択候補の中から変換したい文節を選択する。文節確定ステップＳ２０３では、表示された選択候補から変換する文節を確定する。確定しない場合は、再度選択候補一覧表示ステップＳ２０２に戻り、文節が確定するまで繰り返す。文節表示ステップＳ２０４では、変換の確定した文節を表示する。
【００４１】
例えば、ユーザはキー入力部を操作して、「ありがとう」を入力する。文字列取得ステップＳ２０１では、入力される文字列「ありがとう」を取得する。選択候補一覧表示ステップＳ２０２では、図３（１）のように、取得した文字列を変換する選択候補を一覧表示する。ユーザは、キー入力部を操作して、表示された選択候補の中から変換したい文節「有り難う」を選択する。文節確定ステップＳ２０３では、図３（２）のように、表示された選択候補から変換する文節「有り難う」を確定する。確定しない場合は、再度、選択候補一覧表示ステップＳ２０２に戻り、文節が確定するまで繰り返す。文節表示ステップＳ２０４では、変換の確定した文節「有り難う」を表示する。
【００４２】
ユーザが文章を作成する任意の時点で、先に変換が確定された文節を重ねて変換したいときに、キー入力部を操作して、入力された文字列を重ねて変換する再入力指示を出す。再変換取得ステップＳ２０５では、入力された文字列を重ねて変換するか否かの再入力指示を取得すると、選択候補一覧再表示ステップＳ２０６に進み、先に表示された選択候補を再度一覧表示する。再変換取得ステップＳ２０５で、再入力指示を取得しない場合は、文字列取得ステップＳ２０１に戻り、引き続きユーザのキー入力操作を待つ。ユーザは、キー入力部を操作して、表示された選択候補の中から重ねて変換したい文節を選択する。文節再確定ステップＳ２０７では、再度表示された選択候補から変換する文節を再度確定する。確定しない場合は、再度、選択候補一覧再表示ステップＳ２０６に戻り、文節が確定するまで繰り返す。文節再表示ステップＳ２０８では、変換の再度確定した文節を表示する。
【００４３】
例えば、ユーザが、選択候補の中から「有り難う」という文節を選択した後、キー入力部を操作して、入力された文字列を重ねて変換する再入力指示を出す。再変換取得ステップＳ２０５では、入力された文字列を重ねて変換するか否かの再入力指示を取得すると、選択候補一覧再表示ステップＳ２０６に進み、先に変換が確定された「有り難う」という文節に対応する図４（１）に示すような選択候補を再度一覧表示する。ユーザは、キー入力部を操作して、表示された選択候補の中から重ねて変換したい「ｍ（＿  ＿）ｍ」という文節を選択する。文節再確定ステップＳ２０７では、再度表示された選択候補から変換する文節を再度確定し、文節再表示ステップＳ２０８で、図４（２）に示すような変換の再度確定した「有り難うｍ（＿  ＿）ｍ」という文節を表示する。
【００４４】
本実施形態の端末装置に実行させる文字列変換プログラムによれば、同じ文字列から変換される文節を直前の文節に重ねて挿入する際に、繰り返し同じ文字列をキー操作入力することなく挿入することができる。例えば、文字列「ありがとう」から変換される文節「ｍ（＿  ＿）ｍ」を直前の文節「有り難う」に重ねて挿入する際に、繰り返し同じ文字列をキー操作入力することなく挿入することができる。
【００４５】
さらに、端末装置に実行させる文字列変換プログラムは、入力される文字列に対応する選択候補に、文節確定ステップＳ２０３で変換の確定した文節及び文節再確定ステップＳ２０７で変換の再度確定した文節の組み合わせを追加する候補追加ステップＳ２０９を、文節再確定ステップＳ２０７の後に備えることが望ましい。候補追加ステップＳ２０９は、文節再確定ステップＳ２０７の直後でも、図９に示すように文節再表示ステップＳ２０８の後でもよい。
【００４６】
例えば、ユーザが、前述したような再入力指示によって、選択候補から変換を再度確定すると、候補追加ステップＳ２０９では、図６（１）に示すように、文節確定ステップＳ２０３で変換の確定した「有り難う」という文節及び文節再確定ステップＳ２０７で変換の再度確定した「ｍ（＿  ＿）ｍ」という文節の組み合わせ「有り難うｍ（＿  ＿）ｍ」を追加して記憶する。同じ動作を繰り返せば、図６（２）に示すように、絵文字等も組み合わせた２以上の文節を組み合わせた文節も選択可能になる。
【００４７】
文字列取得ステップＳ２０１では、図７に示すような携帯電話用のテンキーから入力される文字列を取得してもよい。テンキーでは、文字列の入力に多くのキー操作を必要とするため、前述した端末装置に実行させる文字列変換プログラムを利用すると、キー操作入力の労力を大幅に軽減することができる。
【００４８】
再入力指示に対して、特別のキーをアサインしてもよい。図７のテンキーの例で説明すると、文節の変換が確定した後に、「＃」のキーを押下すると、再変換取得ステップＳ２０５では再入力指示と判断することでもよい。アサインをするキーはテンキーのものでなくともよい。デスクトップ用のフルキータイプのものでも同様である。
【００４９】
以上のようにして、本実施形態によれば、同じ文字列から変換される文節を直前の文節に重ねて挿入する際に、繰り返し同じ文字列をキー操作入力することなく挿入することのできる端末装置に実行させる文字列変換プログラムを提供することができる。
【産業上の利用可能性】
【００５０】
本発明は、情報通信産業に適用することができる。
【符号の説明】
【００５１】
１００：端末装置
１１０：無線電波を送波、受波するアンテナ
１１１：無線電波を送信、受信する無線部
１１２：端末装置の動作を制御する制御部
１１３：情報処理を行うＣＰＵ
１１４：送信する音声や受信する音声を処理する音声処理部
１１５：音声通話時の音声を入力する送話部
１１６：音声通話時の音声を出力する受話部
１１７：着信メロディー等を鳴動させるスピーカ
１１８：キー操作やジョグ操作を行うキー入力部
１１９：文章や図を表示する表示部
１２０：制御情報や各種データベースを記憶する記憶部
１２１：文字列に対応した選択候補を備える選択候補データベース
Ｐ２０１：文字列取得手順
Ｐ２０２：選択候補一覧表示手順
Ｐ２０３：文節確定手順
Ｐ２０４：文節表示手順
Ｐ２０５：再変換取得手順
Ｐ２０６：選択候補一覧再表示手順
Ｐ２０７：文節再確定手順
Ｐ２０８：文節再表示手順
Ｐ２０９：候補追加手順
Ｓ２０１：文字列取得ステップ
Ｓ２０２：選択候補一覧表示ステップ
Ｓ２０３：文節確定ステップ
Ｓ２０４：文節表示ステップ
Ｓ２０５：再変換取得ステップ
Ｓ２０６：選択候補一覧再表示ステップ
Ｓ２０７：文節再確定ステップ
Ｓ２０８：文節再表示ステップ
Ｓ２０９：候補追加ステップ
【図１】
0005521462.tif 000002
【図２】
0005521462.tif 000003
【図３】
0005521462.tif 000004
【図４】
0005521462.tif 000005
【図５】
0005521462.tif 000006
【図６】
0005521462.tif 000007
【図７】
0005521462.tif 000008
【図８】
0005521462.tif 000009
【図９】
0005521462.tif 000010
【図１０】
0005521462.tif 000011
【図１１】
0005521462.tif 000012